(57)【要約】【課題】レセプタクルの接続端子における相互間距離をプリント基板を用いて拡張することなく、レセプタクルの接続端子を制御基板に電気的に接続でき、しかも、インピーダンス整合を容易に図ることができること。【解決手段】プラグ１０の接続部における信号ラインに接続されるインシュレータ部２２Ｔの上面部に配列されるコンタクトパッド部を有するコンタクト端子２６ａｉおよび２６ｂｉの弾性片部２６ＫＣが、接地用ラインに隣接し、かつ、一対の信号ラインを形成するように互いに隣接してインシュレータ付アダプタハウジング２２の溝２２Ｇｃｉに配され、アダプタ部１６におけるフレキシブル配線基板１８のコンタクトパッドに電気的に接続される接点部２６ｋｂを有するもの。【選択図】図１
2009193786.tif 000002
【特許請求の範囲】
【請求項１】
柔軟なケーブルのコンタクトパッド群が直接的または間接的に着脱可能に接続されるケーブル接続部と、
ＨＤＭＩ規格ケーブルに接続されるプラグの接続部が着脱可能に接続されるプラグ被接続部に、該ＨＤＭＩ規格に従い複数の伝送路がそれぞれ、配列形成される第１の伝送路形成面および第２の伝送路形成面と、
前記第１の伝送路形成面および前記第２の伝送路形成面において、それぞれ、一対の信号用伝送路と一対の信号用伝送路との間に形成される一つの接地用伝送路に接続され、前記ケーブルに電気的接続を行う第１の接地用コンタクト端子および第２の接地用コンタクト端子と、
前記第１の伝送路形成面において、一対の信号用伝送路にそれぞれ接続され、前記ケーブルに電気的接続を行う第１の信号用コンタクト端子および第２の信号用コンタクト端子と、
前記第２の伝送路形成面において、一対の信号用伝送路にそれぞれ接続され、前記ケーブルに電気的接続を行う第３の信号用コンタクト端子および第４の信号用コンタクト端子と、を備え、
前記第１の信号用コンタクト端子の接点部および前記第２の信号用コンタクト端子の接点部が、前記ケーブル接続部における共通の平面上に隣接して配されるとともに、前記第３の信号用コンタクト端子および第４の信号用コンタクト端子の接点部が該ケーブル接続部における共通の平面上に隣接して配され、
前記第２の接地用コンタクト端子の接点部が、該第１の信号用コンタクト端子の接点部および前記第２の信号用コンタクト端子の接点部のうちのいずれか一方の接点部と該第３の信号用コンタクト端子および第４の信号用コンタクト端子の接点部のうちのいずれか一方の接点部との間に、配されることを特徴とするＨＤＭＩ規格ケーブル用コネクタ。
【請求項２】
柔軟なケーブルのコンタクトパッド群が直接的または間接的に着脱可能に接続されるケーブル接続部と、
ＨＤＭＩ規格ケーブルに接続されるプラグの接続部が着脱可能に接続されるプラグ被接続部に、該ＨＤＭＩ規格に従い複数の伝送路がそれぞれ、配列形成される第１の伝送路形成面および第２の伝送路形成面と、
前記第１の伝送路形成面および前記第２の伝送路形成面において、それぞれ、一対の信号用伝送路と一対の信号用伝送路との間に形成される一つの接地用伝送路に接続され、前記ケーブルに電気的接続を行う第１の接地用コンタクト端子および第２の接地用コンタクト端子と、
前記第１の伝送路形成面において、一対の信号用伝送路にそれぞれ接続され、前記ケーブルに電気的接続を行う第１の信号用コンタクト端子および第２の信号用コンタクト端子と、
前記第２の伝送路形成面において、一対の信号用伝送路にそれぞれ接続され、前記ケーブルに電気的接続を行う第３の信号用コンタクト端子および第４の信号用コンタクト端子と、を備え、
前記第１の信号用コンタクト端子の接点部および前記第２の信号用コンタクト端子の接点部が、前記ケーブル接続部における共通の平面上に隣接して配されるとともに、前記第３の信号用コンタクト端子および第４の信号用コンタクト端子の接点部が該ケーブル接続部における共通の平面上に隣接して配され、
前記第１の接地用コンタクト端子の接点部が、該第１の信号用コンタクト端子の接点部および前記第２の信号用コンタクト端子の接点部のうちのいずれか一方の接点部と該第３の信号用コンタクト端子および第４の信号用コンタクト端子の接点部のうちのいずれか一方の接点部との間に、または、該第３の信号用コンタクト端子および第４の信号用コンタクト端子の接点部のうちのいずれか一方に隣接して配されることを特徴とするＨＤＭＩ規格ケーブル用コネクタ。
【請求項３】
請求項１記載の前記第２の接地用コンタクト端子と、請求項２記載の前記第１の接地用コンタクト端子とを具備して構成されるＨＤＭＩ規格ケーブル用コネクタ。
【請求項４】
前記接地用伝送路に接続される伝送路が、前記ケーブル接続部における共通の平面上であって、前記一対の信号伝送路に接続される一対の伝送路の両脇に、それぞれ、形成されることを特徴とする請求項１乃至請求項３のうちのいずれかに記載のＨＤＭＩ規格ケーブル用コネクタ。
【請求項５】
前記ケーブル接続部および前記プラグ被接続部は、樹脂材料で一体に成形され、固定手段を有し該ケーブル接続部およびプラグ被接続部を支持する外郭部は、金属材料で成形されることを特徴とする請求項１記載のＨＤＭＩ規格ケーブル用コネクタ。
【請求項６】
隣接して配される前記第１の信号用コンタクト端子および第２の信号用コンタクト端子における屈曲部の一端に、それぞれ、拡大部が形成され、該第１の信号用コンタクト端子および第２の信号用コンタクト端子における拡大部の相互間距離が、該屈曲部の他の部分における相互間距離に比して小となるように設定されることを特徴とする請求項１乃至請求項３のうちのいずれかに記載のＨＤＭＩ規格ケーブル用コネクタ。
【請求項７】
隣接して配される前記第１の信号用コンタクト端子および第２の信号用コンタクト端子における屈曲部の一端は、所定の間隔をもって互いに平行に、かつ、伝送路長を短くするように複数回折り曲げられ、所定の傾斜角度をもって形成されていることを特徴とする請求項１乃至請求項３のうちのいずれかに記載のＨＤＭＩ規格ケーブル用コネクタ。
【発明の詳細な説明】
【技術分野】
【０００１】
本発明は、ＨＤＭＩ規格ケーブルのプラグが着脱可能に接続されるＨＤＭＩ規格ケーブル用コネクタに関する。
【背景技術】
【０００２】
ディジタルオーディオヴィジュアル機器（以下、ＡＶ機器ともいう）相互間の接続においては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に準拠したケーブルおよびコネクタが実用に供されている。このようなケーブルおよびコネクタにより接続される場合、非圧縮状態のディジタル映像および音声信号等が約１０Ｇｂｉｔ／ｓの転送速度（ケーブル１本あたり）で転送可能とされるのでＡＶ機器においてより高画質の映像等の記録再生が可能とされる。
【０００３】
ＡＶ機器、例えば、ディジタル式コントロールアンプとディスプレイ（テレビジョン受像機）との相互間、および、ディジタル式コントロールアンプとＤＶＤプレーヤとの相互間は、ＨＤＭＩ規格に準拠したケーブルおよびコネクタにより接続される場合がある。
【０００４】
このような場合、コネクタは、例えば、特許文献１にも示されるように、各ＡＶ機器内に所定のプリント基板（特許文献１においては、固定物４０）および機器の筐体を介して支持されている。
【０００５】
そのようなコネクタは、プリント基板上に配され、ケーブルの一端に一体に設けられるプラグの接続部が着脱可能とされるレセプタクルを含んで構成されている。
【０００６】
プラグの接続部が着脱されるレセプタクルにおけるプラグ接続部は、例えば、ＡＶ機器の筐体における所定位置に露出している。
【０００７】
レセプタクルにおけるプラグの接続部が着脱可能とされるインシュレータ部には、例えば、特許文献２にも示されるように、信号用コンタクト端子、接地用コンタクト端子、電源用コンタクト端子等からなるコンタクト端子群における複数の接続接点部が、その上面部および下面部にそれぞれ配されている。
【０００８】
例えば、特許文献２における図１にも示されるように、その上面部における複数の接続接点部においては、右端から順次、信号用接続接点部（Ｓ）、信号用接続接点部（Ｓ）、接地用接続接点部（Ｇ）、信号用接続接点部（Ｓ）、信号用接続接点部（Ｓ）、接地用接続接点部（Ｇ）・・・が配されている。また、その下面部における複数の接続接点部においては、右端から順次、接地用接続接点部（Ｇ）、信号用接続接点部（Ｓ）、信号用接続接点部（Ｓ）、接地用接続接点部（Ｇ）、信号用接続接点部（Ｓ）、信号用接続接点部（Ｓ）、・・・が配されている。その際、その下面部における右端に位置する接地用接続接点部（Ｇ）は、その上面部における信号用接続接点部（Ｓ）と信号用接続接点部（Ｓ）との間に対応する位置に配されている。従って、その上面部および下面部にそれぞれ配されている複数の接続接点部は、千鳥掛け状に配されることとなる。
【０００９】
【特許文献１】実用新案登録第３１１３０５６号公報
【特許文献２】特開２００２−３３４７４８号公報
【発明の開示】
【発明が解決しようとする課題】
【００１０】
上述のようにコネクタにおけるレセプタクルがプリント基板を介してＡＶ機器の筐体内に実装される場合、特に、そのプリント基板を配置するための空間を確保するためにレセプタクルの配置位置が、ＡＶ機器の背面側等に限定される場合がある。しかし、レセプタクルの配置位置は、ＡＶ機器の筐体においてＡＶ機器の背面側に限定されることなく、例えば、前面側または側面側に配置することが要望される場合がある。このような場合、レセプタクルにおける設計上の配置の自由度を高めるためにそのようなプリント基板を利用することなく、レセプタクルを筐体に支持するとともに、レセプタクル内に設けられるコンタクト端子の固定側端子をケーブルを介して制御用基板に直接的に配線することも考えられる。
【００１１】
しかしながら、ＨＤＭＩ規格（Ｖｅｒｓｉｏｎ  １．３）によれば、接続部において一列に配列されるコンタクトパッドの相互間距離は、０．４または０．５ｍｍとされるのでその相互間距離を拡張させることなく、ケーブルを介してコンタクト端子の固定側端子にそれぞれ直接的に配線することが困難となる虞がある。
【００１２】
また、そのレセプタクル内に設けられるコンタクト端子群における信号用接続接点部および接地用接続接点部等に連なる固定側端子部は、それぞれ、所定の位置にプリント基板上に半田付け固定されている。その際、プリント基板上においては、上述の上面部における右端に位置する信号用接続接点部（Ｓ）に連なる固定側端子部と、それに隣接する信号用接続接点部（Ｓ）に連なる固定側端子部とが、下面部における接地用接続接点部（Ｇ）に連なる固定側端子部を挟んだ離隔した位置で半田付け固定される場合がある。
【００１３】
特に、差動伝送方式が採用されるとき、インピーダンス整合の観点から一対の信号用接続接点部（Ｓ）に連なる固定側端子部と、それに隣接する信号用接続接点部（Ｓ）に連なる固定側端子部とが、互いに近接した所定の相互間距離内で配されることが要望される。
【００１４】
しかしながら、上述の上面部における右端に位置する信号用接続接点部（Ｓ）に連なる固定側端子部と、それに隣接する信号用接続接点部（Ｓ）に連なる固定側端子部とが、下面部における接地用接続接点部（Ｇ）に連なる固定側端子部を挟んだ離隔した位置でプリント基板上に半田付け固定される場合、インピーダンス整合の弊害となり、例えば、信号波形整形用素子または基板が必要とされるという問題を伴う場合がある。
【００１５】
以上の問題点を考慮し、本発明は、ＨＤＭＩ規格ケーブルのプラグが着脱可能に接続されるＨＤＭＩ規格ケーブル用コネクタであって、レセプタクルの接続端子における相互間距離を、プリント基板を用いて拡張することなく、レセプタクルの接続端子を制御基板に電気的に接続でき、しかも、インピーダンス整合を容易に図ることができるＨＤＭＩ規格ケーブル用コネクタを提供することを目的とする。
【課題を解決するための手段】
【００１６】
上述の目的を達成するために、本発明の請求項１に係るＨＤＭＩ規格ケーブル用コネクタは、柔軟なケーブルのコンタクトパッド群が直接的または間接的に着脱可能に接続されるケーブル接続部と、ＨＤＭＩ規格ケーブルに接続されるプラグの接続部が着脱可能に接続されるプラグ被接続部に、ＨＤＭＩ規格に従い複数の伝送路がそれぞれ、配列形成される第１の伝送路形成面および第２の伝送路形成面と、第１の伝送路形成面および第２の伝送路形成面において、それぞれ、一対の信号用伝送路と一対の信号用伝送路との間に形成される一つの接地用伝送路に接続され、ケーブルに電気的接続を行う第１の接地用コンタクト端子および第２の接地用コンタクト端子と、第１の伝送路形成面において、一対の信号用伝送路にそれぞれ接続され、ケーブルに電気的接続を行う第１の信号用コンタクト端子および第２の信号用コンタクト端子と、第２の伝送路形成面において、一対の信号用伝送路にそれぞれ接続され、ケーブルに電気的接続を行う第３の信号用コンタクト端子および第４の信号用コンタクト端子と、を備え、第１の信号用コンタクト端子の接点部および第２の信号用コンタクト端子の接点部が、ケーブル接続部における共通の平面上に隣接して配されるとともに、第３の信号用コンタクト端子および第４の信号用コンタクト端子の接点部がケーブル接続部における共通の平面上に隣接して配され、第２の接地用コンタクト端子の接点部が、第１の信号用コンタクト端子の接点部および第２の信号用コンタクト端子の接点部のうちのいずれか一方の接点部と第３の信号用コンタクト端子および第４の信号用コンタクト端子の接点部のうちのいずれか一方の接点部との間に、配されることを特徴とする。
【００１７】
また、本発明の請求項２に係るＨＤＭＩ規格ケーブル用コネクタは、柔軟なケーブルのコンタクトパッド群が直接的または間接的に着脱可能に接続されるケーブル接続部と、ＨＤＭＩ規格ケーブルに接続されるプラグの接続部が着脱可能に接続されるプラグ被接続部に、ＨＤＭＩ規格に従い複数の伝送路がそれぞれ、配列形成される第１の伝送路形成面および第２の伝送路形成面と、第１の伝送路形成面および第２の伝送路形成面において、それぞれ、一対の信号用伝送路と一対の信号用伝送路との間に形成される一つの接地用伝送路に接続され、ケーブルに電気的接続を行う第１の接地用コンタクト端子および第２の接地用コンタクト端子と、第１の伝送路形成面において、一対の信号用伝送路にそれぞれ接続され、ケーブルに電気的接続を行う第１の信号用コンタクト端子および第２の信号用コンタクト端子と、第２の伝送路形成面において、一対の信号用伝送路にそれぞれ接続され、ケーブルに電気的接続を行う第３の信号用コンタクト端子および第４の信号用コンタクト端子と、を備え、第１の信号用コンタクト端子の接点部および第２の信号用コンタクト端子の接点部が、ケーブル接続部における共通の平面上に隣接して配されるとともに、第３の信号用コンタクト端子および第４の信号用コンタクト端子の接点部がケーブル接続部における共通の平面上に隣接して配され、第１の接地用コンタクト端子の接点部が、第１の信号用コンタクト端子の接点部および第２の信号用コンタクト端子の接点部のうちのいずれか一方の接点部と第３の信号用コンタクト端子および第４の信号用コンタクト端子の接点部のうちのいずれか一方の接点部との間に、または、第３の信号用コンタクト端子および第４の信号用コンタクト端子の接点部のうちのいずれか一方に隣接して配されることを特徴とする。
【００１８】
さらに、本発明に係るＨＤＭＩ規格ケーブル用コネクタは、請求項１に係る発明における第２の接地用コンタクト端子と、請求項２に係る発明における第１の接地用コンタクト端子とを備えて構成されるものでもよい。
【発明の効果】
【００１９】
以上の説明から明らかなように、本発明に係るＨＤＭＩ規格ケーブル用コネクタによれば、ケーブル接続部と、ＨＤＭＩ規格ケーブルに接続されるプラグの接続部が着脱可能に接続されるプラグ被接続部とを備え、第１の信号用コンタクト端子の接点部および第２の信号用コンタクト端子の接点部が、ケーブル接続部における共通の平面上に隣接して配されるとともに、第３の信号用コンタクト端子および第４の信号用コンタクト端子の接点部がケーブル接続部における共通の平面上に隣接して配されるのでレセプタクルの接続端子における相互間距離を、プリント基板を用いて拡張することなく、レセプタクルの接続端子を制御基板に電気的に接続できる。また、第２の接地用コンタクト端子の接点部が、第１の信号用コンタクト端子の接点部および第２の信号用コンタクト端子の接点部のうちのいずれか一方の接点部と第３の信号用コンタクト端子および第４の信号用コンタクト端子の接点部のうちのいずれか一方の接点部との間に配されるのでインピーダンス整合を容易に図ることができる。
【発明を実施するための最良の形態】
【００２０】
図５（Ａ）および（Ｂ）は、それぞれ、本発明に係るＨＤＭＩ規格ケーブル用コネクタの第１実施例の構成を示す。
【００２１】
図５（Ａ）および（Ｂ）に示されるコネクタは、ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ）（登録商標）（Ｖｅｒｓｉｏｎ  １．３）におけるＡタイプ，または、Ｂタイプのいずれにも準拠し得るものとされる。
【００２２】
図５（Ａ）において、コネクタは、所謂、外部接続用コネクタとも言えるものであり、柔軟なケーブルとしてのフレキシブル配線基板１８の一端に接続され、後述するレセプタクル１４におけるアダプタハウジングに着脱可能とされるアダプタ部１６と、ＨＤＭＩ規格に準拠したケーブル（不図示）の一端に接続されるプラグ１０の接続部が着脱可能に配されるプラグ接続部を備えるインシュレータ付アダプタハウジングを有するレセプタクル１４と、を含んで構成されている。
【００２３】
プラグ１０は、その一端部にケーブルの一端が接続され、他端部に接続部を有している。接続部は、その金属製シェルの内側に樹脂製のインシュレータ部を有している。インシュレータ部の内部の中央部には、レセプタクル１４のインシュレータ部２２Ｔが嵌合されるスリットが形成されている。そのスリットの周縁には、後述するコンタクト端子のコンタクトパッド部と当接される複数のコンタクトピンが、スリットを取り囲むように所定の均等の間隔で配置されている。
【００２４】
フレキシブル配線基板１８は、例えば、保護層に覆われた複数の導電層が絶縁性基材上の両面に形成された構成とされる。絶縁性基材は、例えば、厚さ５０μｍ程度の液晶ポリマー（ＬＣＰ）、ガラスエポキシ樹脂、ポリイミド（ＰＩ）、ポリエチレンテレフタレート（ＰＥＴ）、あるいは、ポリエーテルイミド（ＰＥＩ）で成形されている。保護層は、例えば、熱硬化型のレジスト層、あるいは、ポリイミドフィルムにより形成されている。フレキシブル配線基板１８における接続される一端には、コンタクトパッド群１８ｃｐ（図７参照）が形成されている。コンタクトパッド群１８ｃｐを構成する各コンタクトパッドは、所定の間隔をもって互いに平行に形成されている。図７において、コンタクトパッド群１８ｃｐにおける最も左端の位置には、隣接してグラウンドライン１８ＧＬがフレキシブル配線基板１８の延在する方向に沿って形成されている。
【００２５】
アダプタ部１６は、例えば、樹脂材料で成形され、図７に拡大されて示されるように、フレキシブル配線基板１８のコンタクトパッド群１８ｃｐを結合する薄板状の結合部１６Ｓと、結合部１６Ｓの両端にそれぞれ一体に形成され後述のアダプタハウジング部の凹部に挿入される案内ピン１６ＫＡ，１６ＫＢと、案内ピン１６ＫＡ，１６ＫＢの一方の端部にそれぞれ一体に形成され、後述の一対のロックスプリング１６ＰＡの動作を制御する操作部１６Ａ、１６Ｂと、操作部１６Ａと操作部１６Ｂとを結合する板状部１６Ｃとを含んで構成されている。
【００２６】
結合部１６Ｓは、フレキシブル配線基板１８の接着剤塗布面が接着される接続面としての被接着面を有している。接続端部としての結合部１６Ｓと板状部１６Ｃとの間には、図１１に示されるように、結合されるフレキシブル配線基板１８の端部が通過する隙間が形成されている。これにより、その被接着面に接着されたフレキシブル配線基板１８のコンタクトパッド群１８ｃｐは、図７および図１１に示されるように、後述のインシュレータ付アダプタハウジング内のコンタクト端子に向けて露出する。板状部１６Ｃの両端は、それぞれ、操作部１６Ａ、１６Ｂの一端に連なる部分に一体に連結されている。
【００２７】
案内ピン１６ＫＡ，１６ＫＢは、互いに同一の構造を有するので案内ピン１６ＫＡについて説明し、案内ピン１６ＫＢについての説明を省略する。
【００２８】
尖頭状の端部を一方に有する案内ピン１６ＫＡは、図１６に部分的に拡大されて示されるように、その側面に、その内部に配されるロックスプリング１６ＰＡの爪部が貫通するスリット１６ＳＬを有している。案内ピン１６ＫＡおよび操作部１６Ａの内側には、ロックスプリング収容部（不図示）が形成されている。そのロックスプリング収容部は、ロックスプリング１６ＰＡが挿入される開口端およびスリット１６ＳＬを通じて外部に連通している。操作部１６Ａの一端は、案内ピン１６ＫＡの基部近傍に一体に形成され、一方、操作部１６Ａの他端は、その外周部が図１５において矢印が示す方向に押圧される場合、矢印が示す方向に移動可能に形成されている。
【００２９】
ロックスプリング収容部の内周面には、装着されたロックスプリング１６ＰＡの湾曲部に当接する押圧部が形成されている。その押圧部は、操作部１６Ａがロックスプリング１６ＰＡの湾曲部の弾性力に抗して図１５において矢印が示す方向に押圧操作される場合、ロックスプリング１６ＰＡの湾曲部および爪部を矢印の示す方向に移動させるように移動され、一方、操作部１６Ａにおける押圧操作が解放される場合、その押圧部は、ロックスプリング１６ＰＡの湾曲部の復元力により初期の状態に戻される。
【００３０】
上述のスリット１６ＳＬには、ロックスプリング１６ＰＡの爪部の先端が外部に向けて突出している。ロックスプリング１６ＰＡは、ロックスプリング収容部に固定される固定部と、後述するアダプタハウジング部の凹部の内周部に形成される孔２０ｈの周縁に選択的に係合される爪部と、弾性を有し固定部と爪部とを連結する湾曲部とを含んで構成されている。ロックスプリング１６ＰＡの爪部は、その湾曲部の移動に応じてスリット１６ＳＬを介して突出する上述の孔２０ｈの周縁に対する係合状態、または、ロックスプリング収容部内に引き込まれる非係合状態をとる。
【００３１】
レセプタクル１４は、プラグ１０の接続部が着脱可能に配されるプラグ接続部と、プラグ１０とフレキシブル配線基板１８の一端とを電気的に接続するインシュレータ付アダプタハウジングとを含んで構成されている。
【００３２】
プラグ接続部およびインシュレータ付アダプタハウジングの外郭部は、図５（Ａ）および（Ｂ）、図６および図８に示されるように、金属製のシェル部材２０により形成されている。シェル部材２０は、着脱されるプラグ１０の接続部を支持するプラグ支持部２０Ｐと、後述するインシュレータ付アダプタハウジング２２（図１参照）を支持するスライダ支持部２０Ｒと、アダプタ支持部２０Ｒに連なって形成されるフランジ部２０Ｆとを含んで構成されている。
【００３３】
プラグ支持部２０Ｐは、図８に示されるように、プラグ１０の接続部の断面形状に対応した断面形状を有する筒状に形成されている。これにより、内側にプラグ１０の接続部の挿入口が形成されることとなる。プラグ支持部２０Ｐにおける上部および下部には、それぞれ、挿入されたプラグ１０の接続部を保持する弾性変位可能なグランド用接触片２０ＰＡおよび２０ＰＢ（図５（Ａ）参照）、ロック片２０ＰＬ（図６参照）がシェル部材２０と一体に形成されている。ロック片２０ＰＬの先端は、プラグ１０の接続部の挿入時、プラグ１０の接続部に形成される窪み（不図示）に係合するものとされる。また、グランド用接触片２０ＰＡおよび２０ＰＢの先端は、プラグ１０の接続部の挿入時、プラグ１０の接続部における金属製シェルに当接し、接地される。
【００３４】
プラグ支持部２０Ｐの内側の略中央には、図１０および図１３に示されるように、インシュレータ付アダプタハウジング２２における平坦な薄板状のインシュレータ部２２Ｔがプラグ支持部２０Ｐの開口端部に向けて突出している。インシュレータ部２２Ｔは、上述のプラグ１０の接続部のスリットに着脱可能に嵌合される。
【００３５】
プラグ支持部２０Ｐに隣接して一体に門形に形成されるアダプタ支持部２０Ｒは、プラグ支持部２０Ｐの幅より大なる幅を有している。
【００３６】
従って、上述のプラグ接続部は、プラグ１０の接続部に接続されるプラグ被接続部としてのインシュレータ部２２Ｔおよびシェル部材２０におけるプラグ支持部２０Ｐにより形成されることとなる。
【００３７】
また、アダプタ支持部２０Ｒの両側部には、それぞれ、アダプタ部１６が装着されるとき、図１５に示されるように、上述のロックスプリング１６ＰＡの爪部が選択的に係止されるロック孔２０ｈが形成されている。
【００３８】
各フランジ部２０Ｆには、ＡＶ機器における所定位置にレセプタクル１４を固定するための小ネジが挿入される孔２０ｆａが形成されている。
【００３９】
各フランジ部２０Ｆが孔２０ｆａを介して小ネジにより、例えば、接地ラインに導通するＡＶ機器の筐体に固定される場合、静電気がプラグ支持部２０Ｐに印加されたとき、その静電気がシェル部材２０および筐体を通じて除去されることとなる。また、アダプタ支持部２０Ｒとプラグ支持部２０Ｐとは、同一の金属材料で一体に形成されているのでＥＭＩ特性に優れ、外部からのノイズを受け難い外部接続用コネクタを得ることができる。
【００４０】
インシュレータ付アダプタハウジング２２は、図１、図２および図３に拡大されて示されるように、樹脂材料で一体に成形され、一方の端面部に垂直にインシュレータ部２２Ｔを有している。薄板状のインシュレータ部２２Ｔにおける相対向する表面には、それぞれ、後述する各コンタクト端子のコンタクトパッド部がそれぞれ配される浅く細長い溝２２ｔｇｉ（ｉ＝１〜ｎ，ｎは正の整数）がプラグ１０の接続部の着脱方向に対して直交する方向に沿って所定の間隔で共通の平面上に複数個形成されている。
【００４１】
各溝２２ｔｇｉの一端は、インシュレータ部２２Ｔの前端まで延在し、また、上面に形成される各溝２２ｔｇｉの他端は、後述する溝２２Ｇａｉ（図１および図３参照）に連通し、さらに、下面に形成される各溝２２ｔｇｉの他端は、溝２２Ｇｂｉ（図３参照）に連通している。
【００４２】
一方の共通の平面上に形成される一つの溝２２ｔｇｉは、図４に示されるように、他方の共通の平面上に隣接して形成される二つの溝２２ｔｇｉの相互間に対向するように形成されている。従って、一方の共通の平面上に形成される溝２２ｔｇｉと他方の共通の平面上に形成される溝２２ｔｇｉとは、所謂、千鳥掛け状に形成されることとなる。
【００４３】
インシュレータ付アダプタハウジング２２は、図１に拡大されて示されるように、他方の端面部に開口するアダプタ受け部２２Ｈを有している。アダプタ受け部２２Ｈは、図３に示されるように、上述のアダプタ部１６の結合部１６Ｓが挿入される部分２２ＫＣと、部分２２ＫＣの両脇にそれぞれ、連通して形成され、案内ピン１６ＫＡ、１６ＫＢがそれぞれ挿入される部分２２ＫＡおよび２２ＫＢとからなる。
【００４４】
部分２２ＫＡは、図３において右側の上壁２２ＷＡと後述の溝２２Ｇｃｉが形成される底部の右側部との間に形成されている。また、部分２２ＫＢは、図３において左側の上壁２２ＷＢと後述の溝２２Ｇｃｉが形成される底部の左側部との間に形成されている。上壁２２ＷＡおよび上壁２２ＷＢの先端部には、図１２に示されるように、アダプタ支持部２０Ｒのロック片２０Ｌｏの穴に係止される爪部２２Ｗｎが、それぞれ、形成されている。
【００４５】
部分２２ＫＣにおける終端面２２ＫＣｅには、図３および図１０に拡大されて示されるように、後述するコンタクト端子２４ａｉ、２４ｂｉの固定部、コンタクト端子２６ａｉ，２６ｂｉ、コンタクト端子２８ａｉおよびコンタクト端子３０ａｉの固定部、コンタクト端子３２ａｉおよびコンタクト端子３４ａｉ（ｉ＝１〜ｎ，ｎは正の整数）の固定部がそれぞれ嵌合される溝２２Ｇａｉ、２２Ｇｂｉ（ｉ＝１〜ｎ，ｎは正の整数）の一端が開口している。
【００４６】
各溝２２Ｇａｉ、２２Ｇｂｉは、上述の溝２２ｔｇｉと共通の平面上に形成されている。共通の平面上に一列状に配される溝２２Ｇａｉの配列は、共通の平面上に一列状に配される溝２２Ｇｂｉの配列よりも上方に位置している。また、一つの溝２２Ｇｂｉは、隣接する二つの溝２２Ｇａｉの相互間の部分に向き合って形成されている。例えば、図４において、上面部における最も右端に位置する溝２２ｔｇｉは、図３において、溝２２Ｇａｉの列における最も左端に位置する溝２２Ｇａｉに連通している。また、図４において、下面部における最も右端に位置する溝２２ｔｇｉは、図３において、溝２２Ｇｂｉの列における最も左端に位置する溝２２Ｇｂｉに連通している。
【００４７】
さらに、図１に拡大されて示されるように、部分２２ＫＣの底部における終端面２２ＫＣｅに連なるインシュレータ付アダプタハウジング２２の内側には、複数の溝２２Ｇｃｉ（ｉ＝１〜ｎ，ｎは正の整数）が、各溝２２Ｇａｉ、２２Ｇｂｉに対応して部分２２ＫＣの底部を形成する部分の共通の平面上に所定の間隔で形成されている。各溝２２Ｇｃｉには、コンタクト端子２４ａｉ，２４ｂｉ，２６ａｉ，２６ｂｉ，コンタクト端子２８ａｉおよびコンタクト端子３０ａｉ、コンタクト端子３２ａｉおよびコンタクト端子３４ａｉの弾性片部が挿入される。
【００４８】
その際、隣接する溝２２Ｇｃｉ相互間は、仕切壁２２Ｐｉ（ｉ＝１〜ｎ，ｎは正の整数）により仕切られている。これにより、各溝２２Ｇｃｉには、後述するように、各コンタクト端子２４ａｉ〜３４ａｉの弾性片部が共通の平面上に配置されることとなる。
【００４９】
溝２２Ｇｂｉに配されるコンタクト端子２４ａｉは、信号用ラインに使用され、図１７に拡大されて示されるように、例えば、りん青銅の薄板で作られ、インシュレータ付アダプタハウジング２２のインシュレータ部２２Ｔの下面に形成される溝２２ｔｇｉに挿入されるコンタクトパッド部２４ＰＣと、上述の溝２２Ｇｃｉに挿入される弾性片部２４ＫＣと、コンタクトパッド部２４ＰＣと弾性片部２４ＫＣとを連結する固定部２４Ｆａとから構成される。
【００５０】
また、プラグ１０のコンタクトピンと当接するコンタクトパッド部２４ＰＣの先端は、インシュレータ部２２Ｔの端部に係合する折曲部２４Ｂを有している。固定部２４Ｆａは，コンタクトパッド部２４ＰＣの長手方向に延びる中心軸線と固定部２４Ｆａの中心軸線とは一致するように一体に形成されている。
【００５１】
また、弾性片部２４ＫＣの一端を固定部２４Ｆａに連結する屈曲部２４Ｕの一端は、図１７において、固定部２４Ｆａの中心軸線に対し右側に所定距離だけ偏倚して連結されている。屈曲部２４Ｕの他端は、固定部２４Ｆａの表面に対し略垂直にその裏面側に向けて折り曲げられ形成されている。
【００５２】
屈曲部２４Ｕの他端に連結される弾性片部２４ＫＣは、その先端が上方に向けて略Ｕ字形に折り返されるように折り曲げられている。その折り曲げられた部分の先端部分近傍には、フレキシブル配線基板１８のコンタクトパッド群１８ＣＰを構成する各コンタクトパッドに当接する接点部２４ｋｂが形成されている。固定部２４Ｆａおよび弾性片部２４ＫＣには、それぞれ、固定部２４Ｆａおよび弾性片部２４ＫＣの溝からの浮き上がりを抑制する爪部および厚肉部２４ＫＣｓが形成されている。
【００５３】
図１７に拡大されて示されるように、溝２２Ｇｂｉに配されるコンタクト端子２４ｂｉは、信号用ラインに使用され、コンタクト端子２４ａｉに隣接して配される。コンタクト端子２４ｂｉは、固定部２４Ｆｂを除き、コンタクト端子２４ａｉと同様な構成を有する。固定部２４Ｆｂは，コンタクトパッド部２４ＰＣの長手方向に延びる中心軸線と固定部２４Ｆｂの中心軸線とは一致するように一体に形成されている。その際、弾性片部２４ＫＣの一端を固定部２４Ｆｂに連結する屈曲部２４Ｕの一端は、図１７において、固定部２４Ｆｂの中心軸線に対し左側に所定距離だけ偏倚して連結されている。屈曲部２４Ｕの他端は、固定部２４Ｆｂの表面に対し略垂直にその裏面側に向けて折り曲げられ形成されている。
【００５４】
上述のコンタクト端子２４ａｉおよびコンタクト端子２４ｂｉは、それぞれ、共通の金型が用いられ、プレス加工により製造される。また、コンタクト端子２４ａｉおよびコンタクト端子２４ｂｉの製造過程においては、図１９に拡大されて示されるように、キャリア２４ＣＡにより互いに連結されている。その際、図２１に部分的に拡大されて示される
ように、隣接して配されるコンタクト端子２４ａｉおよびコンタクト端子２４ｂｉにおける屈曲部２４Ｕの一端に拡大部２４Ｕａが形成されているのは、インピーダンス整合を容易に図ることを目的として隣接して配されるコンタクト端子２４ａｉおよびコンタクト端子２４ｂｉにおける拡大部２４Ｕａ相互間距離Ｌａが極力小となるように設定するためである。従って、隣接するコンタクト端子２４ａｉにおける拡大部２４Ｕａの相互間距離Ｌａは、図２１に示されるように、拡大部２４Ｕａが形成される部分よりもさらに屈曲部２４Ｕの他端側の相互間距離Ｌｂに比して小となり、即ち、隣接する拡大部２４Ｕａは、互いに近接した位置となる。
【００５５】
溝２２Ｇａｉに配されるコンタクト端子２６ａｉは、信号用ラインに使用され、図１８に拡大されて示されるように、例えば、りん青銅の薄板で作られ、インシュレータ付アダプタハウジング２２のインシュレータ部２２Ｔの上面に形成される溝２２ｔｇｉに挿入されるコンタクトパッド部２６ＰＣと、上述の溝２２Ｇｃｉに挿入される弾性片部２６ＫＣと、コンタクトパッド部２６ＰＣと弾性片部２６ＫＣとを連結する固定部２６Ｆａとから構成される。
【００５６】
また、プラグ１０のコンタクトピンと当接するコンタクトパッド部２６ＰＣの先端は、図１４に部分的に拡大されて示されるように、インシュレータ部２２Ｔの端部に開口する孔２２ｔａｉの周縁に係合する折曲部２６Ｂを有している。なお、孔２２ｔａｉは、溝２２ｔｇｉに連通している。
【００５７】
固定部２６Ｆａは，コンタクトパッド部２６ＰＣの長手方向に延びる中心軸線と固定部２６Ｆａの中心軸線とは一致するように一体に形成されている。
【００５８】
また、弾性片部２６ＫＣの一端を固定部２６Ｆａに連結する屈曲部２６Ｕの一端は、図１８において、固定部２６Ｆａの中心軸線に対し右側に所定距離だけ偏倚して連結されている。屈曲部２６Ｕの他端は、固定部２６Ｆａの表面に対し略垂直にその裏面側に向けて折り曲げられ形成されている。屈曲部２６Ｕの長さは、コンタクト端子２４ａｉおよび２４ｂｉの屈曲部２４Ｕの長さに比して大に設定されている。
【００５９】
屈曲部２６Ｕの他端に連結される弾性片部２６ＫＣは、その先端が上方に向けて略Ｕ字形に折り返されるように折り曲げられている。その折り曲げられた部分の先端部分近傍には、フレキシブル配線基板１８のコンタクトパッド群１８ＣＰを構成する各コンタクトパッドに当接する接点部２６ｋｂが形成されている。
【００６０】
図１８に拡大されて示されるように、溝２２Ｇａｉに配されるコンタクト端子２６ｂｉは、信号用ラインに使用され、コンタクト端子２６ａｉに隣接して配される。コンタクト端子２６ｂｉは、固定部２６Ｆｂを除き、コンタクト端子２６ａｉと同様な構成を有する。固定部２６Ｆｂは，コンタクトパッド部２６ＰＣの長手方向に延びる中心軸線と固定部２６Ｆｂの中心軸線とは一致するように一体に形成されている。その際、弾性片部２６ＫＣの一端を固定部２６Ｆｂに連結する屈曲部２６Ｕの一端は、図１８において、固定部２６Ｆｂの中心軸線に対し左側に所定距離だけ偏倚して連結されている。屈曲部２６Ｕの他端は、固定部２６Ｆｂの表面に対し略垂直にその裏面側に向けて折り曲げられ形成されている。
【００６１】
上述のコンタクト端子２６ａｉおよびコンタクト端子２６ｂｉは、それぞれ、共通の金型が用いられ、プレス加工により製造される。また、コンタクト端子２６ａｉおよびコンタクト端子２６ｂｉの製造過程においては、図２０に拡大されて示されるように、キャリア２６ＣＡにより互いに連結されている。その際、図２２および図２３に部分的に拡大されて示されるように、隣接して配されるコンタクト端子２６ａｉおよびコンタクト端子２６ｂｉにおける屈曲部２６Ｕの一端は、所定の間隔をもって互いに平行に、かつ、伝送路長を短くするように複数回折り曲げられ、所定の傾斜角度をもって形成されている。
【００６２】
溝２２Ｇｂｉに配されるコンタクト端子２８ａｉは、接地用ラインに使用され、図２５に拡大されて示されるように、例えば、りん青銅の薄板で作られ、インシュレータ付アダプタハウジング２２のインシュレータ部２２Ｔの下面に形成される溝２２ｔｇｉに挿入されるコンタクトパッド部２８ＰＣと、上述の溝２２Ｇｃｉに挿入される弾性片部２８ＫＣと、コンタクトパッド部２８ＰＣと弾性片部２８ＫＣとを連結する固定部２８Ｆとから構成される。なお、図２５は、コンタクト端子２８ａｉにおける製造過程の状態をキャリア２８ＣＡとともに示す。
【００６３】
また、プラグ１０のコンタクトピンと当接するコンタクトパッド部２８ＰＣの先端は、インシュレータ部２２Ｔの端部に係合する折曲部２８Ｂを有している。固定部２８Ｆは，コンタクトパッド部２８ＰＣの長手方向に延びる中心軸線と固定部２８Ｆの中心軸線とは一致するように一体に形成されている。
【００６４】
また、弾性片部２８ＫＣの一端を固定部２８Ｆに連結する屈曲部２８Ｕの一端は、図２５において、固定部２８Ｆの中心軸線に対し右側に所定距離だけ偏倚して連結されている。屈曲部２８Ｕの他端は、固定部２８Ｆの表面に対し略垂直にその裏面側に向けて折り曲げられ形成されている。
【００６５】
屈曲部２８Ｕの他端に連結される弾性片部２８ＫＣは、その先端が上方に向けて略Ｕ字形に折り返されるように折り曲げられている。その折り曲げられた部分の先端部分近傍には、フレキシブル配線基板１８のコンタクトパッド群１８ＣＰを構成する各コンタクトパッドに当接する接点部２８ｋｂが形成されている。固定部２８Ｆおよび弾性片部２８ＫＣには、それぞれ、固定部２８Ｆおよび弾性片部２８ＫＣの溝からの浮き上がりを抑制する爪部および厚肉部２８ＫＣｓが形成されている。
【００６６】
溝２２Ｇａｉに配されるコンタクト端子３０ａｉは、接地用ラインに使用され、図２４に拡大されて示されるように、例えば、りん青銅の薄板で作られ、インシュレータ付アダプタハウジング２２のインシュレータ部２２Ｔの上面に形成される溝２２ｔｇｉに挿入されるコンタクトパッド部３０ＰＣと、上述の溝２２Ｇｃｉに挿入される弾性片部３０ＫＣと、コンタクトパッド部３０ＰＣと弾性片部３０ＫＣとを連結する固定部３０Ｆとから構成される。なお、図２４は、コンタクト端子３０ａｉの製造過程における状態をキャリア３０ＣＡと共に示す。
【００６７】
また、プラグ１０のコンタクトピンと当接するコンタクトパッド部３０ＰＣの先端は、折曲部３０Ｂを有している。
【００６８】
固定部３０Ｆは，コンタクトパッド部３０ＰＣの長手方向に延びる中心軸線と固定部３０Ｆの中心軸線とは一致するように一体に形成されている。
【００６９】
また、弾性片部３０ＫＣの一端を固定部３０Ｆに連結する屈曲部３０Ｕの一端は、図２４において、固定部３０Ｆの中心軸線に対し右側に所定距離だけ偏倚して連結されている。屈曲部３０Ｕの他端は、固定部３０Ｆの表面に対し略垂直にその裏面側に向けて折り曲げられ形成されている。屈曲部３０Ｕの長さは、コンタクト端子２８ａｉの屈曲部２８Ｕの長さに比して大に設定されている。
【００７０】
屈曲部３０Ｕの他端に連結される弾性片部３０ＫＣは、その先端が上方に向けて略Ｕ字形に折り返されるように折り曲げられている。その折り曲げられた部分の先端部分近傍には、フレキシブル配線基板１８のコンタクトパッド群１８ＣＰを構成する各コンタクトパッドに当接する接点部３０ｋｂが形成されている。
【００７１】
インシュレータ部２２Ｔに形成される溝２２ｔｇｉ、溝２２Ｇａｉ、および、２２Ｇｂｉには、上述のコンタクト端子２４ａｉ〜３０ａｉ以外に、コンタクト端子３２ａｉ（不図示），および、コンタクト端子３４ａｉ（不図示）も配される。
【００７２】
例えば、上述のＨＤＭＩ規格（登録商標）（Ｖｅｒｓｉｏｎ  １．３）におけるＡタイプにおいて、インシュレータ部２２Ｔの上面部に形成される各溝２２ｔｇｉに配されるコンタクト端子は、図４に拡大されて示されるように、信号用（データ、クロック）ライン１、３、７、９、接地（シールド）用ライン５、１１にそれぞれ、接続されることとなる。接地用ライン１１に隣接する複数のコンタクト端子３２ａｉには、順次、ＣＥＣ，ＳＣＬ，ＤＤＣ／ＣＥＣ、ホットプラグ検出用ラインが、それぞれ、接続される。従って、一対の信号用ライン１、３、一対の信号用ライン７、９は、それぞれ、接地用ライン５を挟んで並設される。なお、図３および図４において、番号１乃至１２は、ライン番号（コネクタピン番号）をあらわす。また、Ｓ，Ｇは、それぞれ、信号用ライン、および、接地用ラインの位置をあらわす。
【００７３】
一方、インシュレータ部２２Ｔの下面部に形成される各溝２２ｔｇｉに配されるコンタクト端子は、信号用ライン４、６、１０、１２、接地用ライン２、８にそれぞれ、接続されることとなる。信号用ライン１２に隣接する複数のコンタクト端子３４ａｉには、順次、予備（非結線）、ＳＤＡ，電源ラインが、それぞれ、接続される。従って、一対の信号用ライン４、６、一対の信号用ライン１０、１２は、それぞれ、接地用ライン８を挟んで並設される。
【００７４】
また、各溝２２Ｇｃｉには、図３において、左端から順次、一対の信号用ライン１、３に接続されるコンタクト端子２６ａｉ，２６ｂｉ、接地用ライン２に接続されるコンタクト端子２８ａｉ，一対の信号用ライン４、６に接続されるコンタクト端子２４ａｉ，２４ｂｉ、接地用ライン５に接続されるコンタクト端子３０ａｉ，一対の信号用ライン７、９に接続されるコンタクト端子２６ａｉ，２６ｂｉ，接地用ライン８に接続されるコンタクト端子２８ａｉ，一対の信号用ライン１０、１２に接続されるコンタクト端子２４ａｉ，接地用ライン１１に接続されるコンタクト端子３０ａｉが配される。
【００７５】
従って、一対の信号用ライン１、３、一対の信号用ライン４、６、一対の信号用ライン７、９、および、一対の信号用ライン１０、１２における相互間距離は、それぞれ、インシュレータ部２２Ｔ側のコンタクトパッド部における相互間距離と等しいのでインピーダンス整合を容易に図ることができる。
【００７６】
斯かる構成において、例えば、ＡＶ機器の内部に配されるレセプタクル１４におけるアダプタ受け部２２Ｈにアダプタ部１６を接続するにあたっては、操作部１６Ａおよび１６Ｂが図１５に示される矢印の示す方向に、押圧されるとともに結合部１６Ｓがアダプタ受け部２２Ｈに挿入された後、操作部１６Ａおよび１６Ｂが解放される。これにより、ロックスプリング１６ＰＡの爪部が孔２０ｈの周縁に係止されるのでアダプタ部１６がレセプタクル１４に対しロック状態とされる。一方、アダプタ部１６を取り外すにあたっては、上述と同様に操作部１６Ａおよび１６Ｂが、図１５に示される矢印の示す方向に、押圧されるとともに結合部１６Ｓがアダプタ受け部２２Ｈから引き抜かれることにより、アダプタ部１６が取り外される。
【００７７】
また、例えば、ＡＶ機器の外周部に露出したプラグ接続部のインシュレータ部２２Ｔにプラグ１０の接続部を接続するにあたっては、その接続部のスリットとインシュレータ部２２Ｔとが互いに相対向するように配された後、プラグ１０の接続部がプラグ支持部２０Ｐの内側に挿入されることにより、プラグ１０の接続部がインシュレータ部２２Ｔに接続される。その際、ロック片２０ＰＬが、それぞれ、その接続部の窪み（不図示）に係合されることにより、プラグ１０の接続部がプラグ支持部２０Ｐにロック状態とされる。一方、プラグ１０の接続部を取り外すにあたっては、プラグ１０の接続部をインシュレータ部２２Ｔにからロック片２０ＰＬの弾性力に抗して引き抜くことにより、プラグ１０が容易に取り外される。
【００７８】
従って、ＡＶ機器の内部におけるいずれの場所にレセプタクル１４が配置される場合であっても、アダプタ部１６およびフレキシブル配線基板１８によってレセプタクル１４と所定の制御基板との距離に左右されることなく接続でき、その結果、レセプタクル１４における設計上の配置の自由度を向上させることができることとなる。
【００７９】
また、一般ユーザー等によるプラグ１０の取り扱いにおいて、例えば、プラグ１０のレセプタクル１４への誤挿入等により、レセプタクル１４の破損が発生した場合においても、従来のコネクタの修理のように、ＨＤＭＩ規格ケーブル用コネクタとそれが実装される基板とを同時に交換する必要がなく、しかも、レセプタクル１４単体の交換によって修理が容易に完了するのでメンテナンスにおける一般ユーザー等の負担が軽減されるとともに、廃棄部品数の減少にも繋がることとなる。
【００８０】
図２６（Ａ）および（Ｂ）は、それぞれ、本発明に係るＨＤＭＩ規格ケーブル用コネクタの第２実施例の構成を示す。
【００８１】
図５（Ａ）および（Ｂ）に示される第１実施例においては、フレキシブル配線基板１８の一端が、アダプタ部１６を介して間接的にレセプタクル１４に接続される構成を備えているが、その代わりに、第２実施例は、フレキシブル配線基板１８の一端が、直接的にレセプタクル４４に着脱可能に接続されるように、レセプタクル４４がロック／アンロック用のスライダを備えるものとされる。なお、図２６（Ａ）および（Ｂ）、図２７（Ａ）および（Ｂ）においては、図１および図５（Ａ）に示される例における構成要素と同一の構成要素について同一の符号を付して示し、その重複説明を省略する。また、本実施例においても、ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ）（登録商標）（Ｖｅｒｓｉｏｎ  １．３）におけるＡタイプ，または、Ｂタイプのいずれにも準拠し得るものとされる。
【００８２】
図２６（Ａ）および（Ｂ）において、コネクタは、インシュレータ付ハウジング４２を有するレセプタクル４４を備えて構成されている。そのインシュレータ付ハウジング４２は、フレキシブル配線基板１８の一端が接続されるケーブル接続部と、上述のプラグ１０の接続部が着脱可能に配されるプラグ接続部とを備えている。
【００８３】
プラグ接続部およびインシュレータ付ハウジングの外郭部は、金属製のシェル部材４０により形成されている。シェル部材４０は、着脱されるプラグ１０の接続部を支持するプラグ支持部４０Ｐと、後述するインシュレータ付ハウジング４２を支持するスライダ支持部４０Ｒとを含んで構成されている。
【００８４】
プラグ支持部４０Ｐは、プラグ１０の接続部の断面形状に対応した断面形状を有する筒状に形成されている。これにより、内側にプラグ１０の接続部の挿入口が形成されることとなる。プラグ支持部４０Ｐにおける上部および下部には、それぞれ、挿入されたプラグ１０の接続部を保持する弾性変位可能なグランド用接触片４０ＰＡおよび４０ＰＢ、ロック片４０ＰＬ（図２７（Ａ）および（Ｂ）参照）がシェル部材４０と一体に形成されている。ロック片４０ＰＬの先端は、プラグ１０の接続部の挿入時、プラグ１０の接続部に形成される窪み（不図示）に係合するものとされる。また、グランド用接触片４０ＰＡおよび４０ＰＢの先端は、プラグ１０の接続部の挿入時、プラグ１０の接続部における金属製シェルに当接し、接地される。
【００８５】
プラグ支持部４０Ｐの内側の略中央には、図２７（Ａ）および（Ｂ）に示されるように、インシュレータ付ハウジング４２における平坦な薄板状のインシュレータ部４２Ｔがプラグ支持部４０Ｐの開口端部に向けて突出している。インシュレータ部４２Ｔは、上述のプラグ１０の接続部のスリットに着脱可能に嵌合される。
【００８６】
プラグ支持部４０Ｐに隣接して一体に門形に形成されるスライダ支持部４０Ｒは、プラグ支持部４０Ｐの幅より大なる幅を有している。
【００８７】
従って、上述のプラグ接続部は、プラグ１０の接続部に接続されるプラグ被接続部としてのインシュレータ部４２Ｔおよびシェル部材４０におけるプラグ支持部４０Ｐにより形成されることとなる。
【００８８】
スライダ支持部４０Ｒとプラグ支持部４０Ｐとは、同一の金属材料で一体に形成されているのでＥＭＩ特性に優れ、外部からのノイズを受け難い外部接続用コネクタを得ることができる。
【００８９】
インシュレータ付ハウジング４２は、樹脂材料で一体に成形され、一方の端面部に垂直にインシュレータ部４２Ｔを有している。薄板状のインシュレータ部４２Ｔにおける相対向する表面には、それぞれ、各コンタクト端子のコンタクトパッド部がそれぞれ配される浅く細長い溝４２ｔｇｉ（ｉ＝１〜ｎ，ｎは正の整数）がプラグ１０の接続部の着脱方向に対して直交する方向に沿って所定の間隔で共通の平面上に複数個形成されている。
【００９０】
各溝４２ｔｇｉの一端は、インシュレータ部４２Ｔの前端まで延在し、また、上面に形成される各溝４２ｔｇｉの他端は、各溝４２Ｇａｉ（ｉ＝１〜ｎ，ｎは正の整数）に連通し、さらに、下面に形成される各溝４２ｔｇｉの他端は、その溝４２Ｇａｉの下方の溝（不図示）に連通している。
【００９１】
一方の共通の平面上に形成される一つの溝４２ｔｇｉは、他方の共通の平面上に隣接して形成される二つの溝４２ｔｇｉの相互間に対向するように形成されている。従って、一方の共通の平面上に形成される溝４２ｔｇｉと他方の共通の平面上に形成される溝４２ｔｇｉとは、所謂、千鳥掛け状に形成されることとなる。
【００９２】
インシュレータ付ハウジング４２は、他方の端面部に開口するケーブル接続部４２Ａを有している。ケーブル接続部４２Ａには、スライダ４８が、摺動可能に配されている。スライダ４８は、フレキシブル配線基板１８の一端をケーブル接続部４２Ａに対し選択的にロック状態またはアンロック状態とするものとされる。スライダ４８は、図２７（Ａ）および（Ｂ）に示されるように、その中央部にフレキシブル配線基板１８の一端に形成されるコンタクトパッドをコンタクト端子群に向けて押圧する押圧面４８ＰＳを有する押圧部４８Ｐを含んで構成されている。押圧部４８Ｐの両脇には、所定の間隔をもって爪部４８ＧＰＡ、および、４８ＧＰＢが形成されている。また、爪部４８ＧＰＡ、および、４８ＧＰＢと押圧部４８Ｐとの連結部には、それぞれ、側方に突出する操作部４８Ｆが、形成されている。その際、図２６（Ａ）に示されるように、ケーブル接続部４２Ａの端部が通過する切欠部４８ｆａが、操作部４８Ｆ相互間に形成されている。
【００９３】
ケーブル接続部４２Ａの開口端には、後述するスライダ４８の押圧部の両側面部をそれぞれ案内する案内壁４２ａが形成されている。また、各案内壁４２ａとスライダ支持部４０Ｒの内周部との間には、それぞれ、ロック爪部４２ＮＡおよび４２ＮＢが弾性変位可能にインシュレータ付ハウジング４２と一体に形成されている。ロック爪部４２ＮＡおよび４２ＮＢの一端は、それぞれ、スライダ４８の爪部４８ＧＰＡ、および、４８ＧＰＢを、スライダ４８を、アンロック状態で係止するものとされる。
【００９４】
ロック爪部４２ＮＡと案内壁４２ａとの間、および、ロック爪部４２ＮＢと案内壁４２ａとの間には、それぞれ、スリット４２ＳＡおよび４２ＳＢがフレキシブル配線基板１８の厚さ方向に貫通している。
【００９５】
ケーブル接続部４２Ａの内側における終端面には、上述のコンタクト端子２４ａｉ、２４ｂｉの固定部、コンタクト端子２６ａｉ，２６ｂｉ、コンタクト端子２８ａｉおよびコンタクト端子３０ａｉの固定部、コンタクト端子３２ａｉおよびコンタクト端子３４ａｉの固定部が、それぞれ、嵌合される複数の溝４２Ｇａｉの一端が開口している。各溝４２Ｇａｉは、上述の溝４２ｔｇｉと共通の平面上に形成されている。なお、図示されていないが、溝４２Ｇａｉの配列の下方にも、同様な溝の配列が千鳥掛け状となるように形成されている。
【００９６】
ケーブル接続部４２Ａの底部には、上述のコンタクト端子２４ａｉ、２４ｂｉ群等の弾性片部が、それぞれ、配される複数の溝４２Ｇｃｉ（ｉ＝１〜ｎ，ｎは正の整数）が共通の平面上に所定の間隔で形成されている。隣接する溝４２Ｇｃｉ相互間は、仕切壁により仕切られている。
【００９７】
コンタクト端子２４ａｉ、２４ｂｉ、コンタクト端子２６ａｉ，２６ｂｉ、コンタクト端子２８ａｉおよびコンタクト端子３０ａｉ、コンタクト端子３２ａｉおよびコンタクト端子３４ａｉの配列は、第１実施例の配列と同一とされる。
【００９８】
また、各溝４２Ｇｃｉには、第１実施例と同様に、図２６（Ｂ）において、左端から順次、一対の信号用ライン１、３に接続されるコンタクト端子２６ａｉ，２６ｂｉ、接地用ライン２に接続されるコンタクト端子２８ａｉ，一対の信号用ライン４、６に接続されるコンタクト端子２４ａｉ，２４ｂｉ、接地用ライン５に接続されるコンタクト端子３０ａｉ，一対の信号用ライン７、９に接続されるコンタクト端子２６ａｉ，２６ｂｉ，接地用ライン８に接続されるコンタクト端子２８ａｉ，一対の信号用ライン１０、１２に接続されるコンタクト端子２４ａｉ，接地用ライン１１に接続されるコンタクト端子３０ａｉが配される。
【００９９】
従って、一対の信号用ライン１、３、一対の信号用ライン４、６、一対の信号用ライン７、９、および、一対の信号用ライン１０、１２における相互間距離は、それぞれ、インシュレータ部４２Ｔ側のコンタクトパッド部における相互間距離と等しいのでインピーダンス整合を容易に図ることができる。
【０１００】
斯かる構成において、例えば、ＡＶ機器の内部に配されるレセプタクル４４におけるケーブル接続部４２Ａにフレキシブル配線基板１８の一端を接続するにあたっては、先ず、スライダ４８は、その操作部４８Ｆが、図２７（Ａ）に示されるように、ケーブル接続部４２Ａの開口端から離隔したアンロック状態とされ、次に、フレキシブル配線基板１８の一端がスライダ４８の押圧面４８ＰＳの下方に挿入された後、スライダ４８は、その操作部４８Ｆが、図２７（Ｂ）に示されるように、所定距離、各コンタクト端子の弾性片部の付勢力に抗して押圧され、ロック状態とされる。
【０１０１】
一方、フレキシブル配線基板１８の一端を取り外すにあたっては、スライダ４８は、その操作部４８Ｆがケーブル接続部４２Ａの開口端から引き離され、上述のアンロック状態とされることにより、フレキシブル配線基板１８の一端が取り外される。
【０１０２】
また、例えば、ＡＶ機器の外周部に露出したプラグ接続部のインシュレータ部４２Ｔにプラグ１０の接続部を接続するにあたっては、第１実施例と同様に操作される。
【０１０３】
従って、本実施例においても、第１実施例と同様な作用効果を奏することとなる。
【図面の簡単な説明】
【０１０４】
【図１】本発明に係るＨＤＭＩ規格ケーブル用コネクタの第１実施例に用いられるインシュレータ付アダプタハウジングを示す斜視図である。
【図２】図１に示されるインシュレータ付アダプタハウジングをインシュレータ部側から見た斜視図である。
【図３】図１に示されるインシュレータ付アダプタハウジングの正面図である。
【図４】図１に示されるインシュレータ付アダプタハウジングをインシュレータ部側から見た正面図である。
【図５】（Ａ）本発明に係るＨＤＭＩ規格ケーブル用コネクタの第１実施例の構成を、アダプタ部が接続されていない状態で概略的に示す平面図であり、（Ｂ）は、アダプタ部が接続されている状態で概略的に示す平面図である。
【図６】本発明に係るＨＤＭＩ規格ケーブル用コネクタの第１実施例に用いられるレセプタクルを拡大して示す平面図である。
【図７】本発明に係るＨＤＭＩ規格ケーブル用コネクタの一例に用いられるアダプタ部を拡大して示す平面図である。
【図８】図６に示されるレセプタクルの正面図である。
【図９】図６に示されるレセプタクルの側面図である。
【図１０】図６に示されるレセプタクルの断面図である。
【図１１】図７に示されるアダプタ部の断面図である。
【図１２】アダプタ部接続側から見た図６に示されるレセプタクルの正面図である。
【図１３】図６に示されるレセプタクルの断面図である。
【図１４】図１３における部分的な拡大図である。
【図１５】図９におけるＸＶ−ＸＶ線に沿って示される断面図である。
【図１６】図１５における部分的な拡大図である。
【図１７】本発明に係るＨＤＭＩ規格ケーブル用コネクタの第１実施例および第２実施例に用いられる信号用コンタクト端子を示す斜視図である。
【図１８】本発明に係るＨＤＭＩ規格ケーブル用コネクタの第１実施例および第２実施例に用いられる信号用コンタクト端子を示す斜視図である。
【図１９】図１７に示されるコンタクト端子における製造過程の状態を示す斜視図である。
【図２０】図１８に示されるコンタクト端子における製造過程の状態を示す斜視図である。
【図２１】図１９におけるＡ部を部分的に拡大して示す斜視図である。
【図２２】図２０におけるＢ部を部分的に拡大して示す斜視図である。
【図２３】図２０におけるＢ部を部分的に拡大して示す正面図である。
【図２４】本発明に係るＨＤＭＩ規格ケーブル用コネクタの第１実施例および第２実施例に用いられる接地用コンタクト端子を示す斜視図である。
【図２５】本発明に係るＨＤＭＩ規格ケーブル用コネクタの第１実施例および第２実施例に用いられる接地用コンタクト端子を示す斜視図である。
【図２６】（Ａ）および（Ｂ）は、それぞれ、本発明に係るＨＤＭＩ規格ケーブル用コネクタの第２実施例に用いられるレセプタクルを拡大して示す斜視図である。
【図２７】（Ａ）および（Ｂ）は、それぞれ、図２６（Ａ）および（Ｂ）に示される例における断面図である。
【符号の説明】
【０１０５】
１０    プラグ
１２    ケーブル
１４    レセプタクル
１６    アダプタ部
１８    フレキシブル配線基板
２０、３０    シェル部材
２２    インシュレータ付アダプタハウジング
２２Ｔ    インシュレータ部
２４ａｉ、２４ｂｉ，２６ａｉ、２６ｂｉ，２８ａｉ，３０ａｉ    コンタクト端子
【図１】
2009193786.tif 000003
【図２】
2009193786.tif 000004
【図３】
2009193786.tif 000005
【図４】
2009193786.tif 000006
【図５】
2009193786.tif 000007
【図６】
2009193786.tif 000008
【図７】
2009193786.tif 000009
【図８】
2009193786.tif 000010
【図９】
2009193786.tif 000011
【図１０】
2009193786.tif 000012
【図１１】
2009193786.tif 000013
【図１２】
2009193786.tif 000014
【図１３】
2009193786.tif 000015
【図１４】
2009193786.tif 000016
【図１５】
2009193786.tif 000017
【図１６】
2009193786.tif 000018
【図１７】
2009193786.tif 000019
【図１８】
2009193786.tif 000020
【図１９】
2009193786.tif 000021
【図２０】
2009193786.tif 000022
【図２１】
2009193786.tif 000023
【図２２】
2009193786.tif 000024
【図２３】
2009193786.tif 000025
【図２４】
2009193786.tif 000026
【図２５】
2009193786.tif 000027
【図２６】
2009193786.tif 000028
【図２７】
2009193786.tif 000029